(57)【要約】【課題】分解できることにより、従業員の着替えのために工場などに設けられているロッカーに収納がなし得る組立式洗面器を提供する。【解決手段】有底円筒状とされ、一端部１１に嵌合凹部１１ａを有し、他端部１２に前記嵌合凹部１１ａと嵌合する嵌合凸部１２ａを有する側板１を形成する側板要素１０と、底板２を形成する底板要素２０と、ワッパ３を形成する伸縮性を有するワッパ要素３０とを備えてなる組立式洗面器Ｖである。【選択図】図１
0003134471.tif 000002
【実用新案登録請求の範囲】
【請求項１】
組立式洗面器であって、該組立式洗面器は有底円筒状または有底逆円錐台状とされ、
一端部に嵌合凹部を有し、他端部に前記嵌合凹部と嵌合する嵌合凸部を有し、下端部に底板を受ける受け凸部を有する側板を形成する側板要素と、底板を形成する底板要素と、ワッパを形成する弾力性または伸縮性を有するワッパ要素とを備えてなることを特徴する組立式洗面器。
【請求項２】
底板要素が、側板内面に沿うようにされてなることを特徴する請求項１記載の組立式洗面器。
【請求項３】
底板要素の側板内面との接触面がひれ状ガスケット状とされてなることを特徴する請求項１記載の組立式洗面器。
【請求項４】
ワッパ要素が、少なくとも上部ワッパ要素と、底部ワッパ要素とを含むものとされてなることを特徴する請求項１記載の組立式洗面器。
【考案の詳細な説明】
【技術分野】
【０００１】
本考案は組立式洗面器に関する。さらに詳しくは、分解できることにより、従業員の着替えのために工場などに設けられているロッカーに収納がなし得る組立式洗面器に関する。
【背景技術】
【０００２】
従来より、工場などの中には、就業後の従業員が就業後に汚れを落とすための入浴施設が設けられているものがある。そして、そのような工場の従業員は、通常、各自が入浴のための洗面器を所持している。
【０００３】
しかるに、洗面器の最大外径は３０ｃｍ程度であるのに対し、従業員が着替えのために設けられているロッカーの幅は、ロッカールームのスペース効率の向上を図る観点から２０ｃｍ程度に抑えられている。
【０００４】
そのため、洗面器はロッカーに収納することができず、通常、ロッカーの上に雑然と置かれている。また、そのロッカーの上に置かれた洗面器には、使用したタオルを掛けることもしばしばなされている。
【０００５】
しかしながら、このような光景は、ロッカールームの美観向上の観点から好ましいものとはいえない。
【考案の開示】
【考案が解決しようとする課題】
【０００６】
本考案はかかる従来技術の課題に鑑みなされたものであって、分解できることにより、従業員の着替えのために工場などに設けられているロッカーに収納がなし得る組立式洗面器を提供することを目的としている。
【課題を解決するための手段】
【０００７】
本考案の組立式洗面器は、該組立式洗面器は有底円筒状または有底逆円錐台状とされ、一端部に嵌合凹部を有し、他端部に前記嵌合凹部と嵌合する嵌合凸部を有し、下端部に底板を受ける受け凸部を有する側板を形成する側板要素と、底板を形成する底板要素と、ワッパを形成する弾力性または伸縮性を有するワッパ要素とを備えてなることを特徴する。
【０００８】
本考案の組立式洗面器においては、底板要素が、側板内面に沿うようにされていたり、底板要素の側板内面との接触面がひれ状ガスケット状とされていたりするのが好ましい。
【０００９】
また、本考案の組立式洗面器においては、ワッパ要素が、少なくとも上部ワッパ要素と、底部ワッパ要素とを含むものとされてなるのが好ましい。
【考案の効果】
【００１０】
本考案の組立式洗面器は、前記の如く構成されているので、組立・分解が容易であるため、不使用時にはビニール袋などに入れてロッカー内に吊るして置くことができるという優れた効果が得られる。
【考案を実施するための最良の形態】
【００１１】
以下、添付図面を参照しながら本考案を実施形態に基づいて説明するが、本考案はかかる実施形態のみに限定されるものではない。
【００１２】
図１に、本考案の一実施形態に係る組立式洗面器の組み立て後の状態を断面図で示す。
【００１３】
組立式洗面器Ｖは、図１に示すように、有底円筒状とされ、組み立てられて側板１を形成する側板要素と、組み立てられて底板２を形成する底板要素と、組み立てられて側板１を円筒状に形状維持させるワッパ３を形成するワッパ要素とを主要構成要素として備えてなるものとされる。これらの要素は、例えばビニール袋に一緒に入れられ、利用の便宜が図られる。
【００１４】
図２に、側板要素１０を展開図で示す。
【００１５】
側板要素１０は、図２に示すように、折り曲げ可能な合成樹脂からなる長方形状平板とされ、その両端を嵌合させることにより側板１を円筒状に形成するものとされる。長方形状平板の主要部の板厚は、数ミリメートルとされ、両端部の板厚は後述する嵌合部が形成できるよう肉厚とされている。
【００１６】
図３（ａ）に、側板要素１０の一端部１１を断面図で示し、図３（ｂ）に、側板要素１０の他端部１２を断面図で示し、図３（ｃ）に、側板要素１０の下端部１３を断面図で示す。
【００１７】
側板要素１０の一端部１１には、図３（ａ）に示すように、端面にＶ字状の嵌合凹部１１ａが形成されている。なお、嵌合凹部１１ａの形状はＶ字状に限定されるものではなく、適宜とでき、例えば円弧状とすることもできる。
【００１８】
側板要素１０の他端部１２には、図３（ｂ）に示すように、端面に前記嵌合凹部１１ａに対応させたＶ字状の嵌合凸部１２ａが形成されている。
【００１９】
側板要素１０の下端部１３には、図３（ｃ）に示すように、底板２を受ける受け凸部１３ａが内側となる方向に向けて設けられている。
【００２０】
底板要素２０は、図１に示すように、側板内面１ａに沿うように構成されている。底板要素２０の板厚は、数ミリメートルとされている。
【００２１】
ワッパ要素３０は弾力性または伸縮性を有する合成樹脂からなり、上部に位置させられる上部ワッパ３Ｕに対応する上部ワッパ要素３１と、中間部に位置させられる中間部ワッパ３Ｍに対応する中間部ワッパ要素３２と、底部に位置させられる底部ワッパ３Ｂに対応する底部ワッパ要素３３とを含むものとされる。なお、ワッパ要素３０は、ゴムバンドとされてもよい。
【００２２】
次に、かかる要素１０，２０，３０を備えた組立式洗面器Ｖの組み立てについて説明する。
【００２３】
手順１：側板要素１０の一端部１１に形成されている嵌合凹部１１ａに、他端部１２に形成されている嵌合凸部１２ａを嵌合させて側板１となす。
【００２４】
手順２：側板１の上部方向から中間部ワッパ要素３２および上部ワッパ要素３１をこの順で順次嵌め込み、また底部方向から底部ワッパ要素３３を嵌め込んで側板１の嵌合部の嵌合外れを防止して側板１にその形状を維持させる。
【００２５】
手順３：側板１の上方から底板要素２０を落とし込んで底板２となす。
【００２６】
以上の手順により、組立式洗面器Ｖの組立が完了する。なお、組立式洗面器Ｖの分解は、前記手順を逆に実行することによりなし得る。
【００２７】
このように、この実施形態の組立式洗面器Ｖによれば、組立・分解が容易になし得るので、不使用時には、例えばビニール袋にいれてロッカー内に吊るしておくことができる。そのため、従来のようにロッカーの上に洗面器が雑然と置かれることがなくなり、ロッカールームの美観向上が図られる。
【００２８】
以上、本考案を実施形態に基づいて説明してきたが、本考案はかかる実施形態のみに限定されるものではなく、種々改変が可能である。
【００２９】
例えば、底板要素２０の側板内面１ａとの接触面をひれ状ガスケット状に形成することもできる。また、ワッパ要素３０を上部ワッパ要素３１と、底部ワッパ要素３３のみとし、中間部ワッパ要素３２を省略してもよい。
【００３０】
さらに、本実施形態では、側板は円筒状とされているが、逆円錐台状とすることもできる。
【産業上の利用可能性】
【００３１】
本考案は洗面器に適用できる。
【図面の簡単な説明】
【００３２】
【図１】本考案の一実施形態に係る組立式洗面器の組立状態における断面図である。
【図２】側面要素の平面図である。
【図３】同要素の各部断面図であって、同（ａ）は図２のａ−ａ線断面を示し、同（ｂ）は図２のｂ−ｂ線断面を示し、同（ｃ）は図２のｃ−ｃ線断面を示す。
【符号の説明】
【００３３】
１        側板
２        底板
３        ワッパ
１０        側板要素
１１        一端部
１１ａ      嵌合凹部
１２        他端部
１２ａ      嵌合凸部
１３        下端部
１３ａ      受け凸部
２０        底板要素
３０        ワッパ要素
Ｖ        組立式洗面器
【図１】
0003134471.tif 000003
【図２】
0003134471.tif 000004
【図３】
0003134471.tif 000005